(57)【特許請求の範囲】
【請求項１】
記録媒体に記録された信号を再生して再生信号を出力する再生手段と、
上記再生信号に含まれる時刻情報を抽出する抽出手段と、
基準となる情報に対して時差補正を行うための補正情報を入力する入力手段と、
上記抽出された時刻情報を上記入力された補正情報に基づいて時差補正する補正手段と、
上記補正された時刻情報を表示手段に表示させる制御を行う表示制御手段と、
１回のキー操作によって上記時差補正動作を解除して時差補正前の状態に戻す解除手段とを設けたことを特徴とする再生装置。
【請求項２】
上記補正情報は地域名であり、上記補正手段は地域名に対応する時差情報を保持することを特徴とする請求項１記載の再生装置。
【請求項３】
上記補正情報は地域間の時間差であることを特徴とする請求項１記載の再生装置。
【請求項４】
被写体を撮像し映像信号を出力する撮像手段と、
時刻情報を発生する時計手段と、
上記映像信号を上記時刻情報と共に記録媒体に記録し再生する記録再生手段と、
上記再生された信号から上記時刻情報を抽出する抽出手段と、
基準となる情報に対して時差補正を行うための補正情報を入力する入力手段と、
上記抽出された時刻情報を上記入力された補正情報に基づいて時差補正する補正手段と、
上記補正された時刻情報を表示手段に表示させる制御を行う表示制御手段と、
１回のキー操作によって上記時差補正動作を解除して時差補正前の状態に戻す解除手段とを設けたことを特徴とするビデオカメラ一体型記録再生装置。
【請求項５】
上記補正情報は地域名であり、上記補正手段は地域名に対応する時差情報を保持することを特徴とする請求項４記載のビデオカメラ一体型記録再生装置。
【請求項６】
上記補正情報は地域間の時間差であることを特徴とする請求項４記載のビデオカメラ一体型記録再生装置。
【請求項７】
上記時計手段に時刻情報を設定すると共にその設定された時刻情報がどの地域を基準とするものであるかを示す地域名を設定する設定手段を設けたことを特徴とする請求項５又は６記載のビデオカメラ一体型記録再生装置。
【請求項８】
記録媒体に記録された信号を再生して再生信号を出力する再生処理と、
上記再生信号に含まれる時刻情報を抽出する抽出処理と、
基準となる情報に対して時差補正を行うための補正情報を入力する入力処理と、
上記抽出された時刻情報を上記入力された補正情報に基づいて時差補正する補正処理と、
上記補正された時刻情報を表示手段に表示させる制御を行う表示制御処理と、
１回のキー操作によって上記時差補正動作を解除して時差補正前の状態に戻す解除処理とを実行するためのプログラムを記憶したコンピュータ読み取り可能な記憶媒体。
【請求項９】
被写体を撮像し映像信号を出力する撮像処理と、
時刻情報を発生する時計処理と、
上記映像信号を上記時刻情報と共に記録媒体に記録し再生する記録再生処理と、
上記再生された信号から上記時刻情報を抽出する抽出処理と、
基準となる情報に対して時差補正を行うための補正情報を入力する入力処理と、
上記抽出された時刻情報を上記入力された補正情報に基づいて時差補正する補正処理と、
上記補正された時刻情報を表示手段に表示させる制御を行う表示制御処理と、
１回のキー操作によって上記時差補正動作を解除して時差補正前の状態に戻す解除処理とを実行するためのプログラムを記憶したコンピュータ読み取り可能な記憶媒体。
【請求項１０】
上記補正情報は地域名であり、上記補正処理は地域名に対応する時差情報を保持することを特徴とする請求項８又は９記載のコンピュータ読み取り可能な記憶媒体。
【請求項１１】
上記補正情報は地域間の時間差であることを特徴とする請求項８又は９記載のコンピュータ読み取り可能な記憶媒体。
【請求項１２】
上記時計処理に対して時刻情報を設定すると共にその設定された時刻情報がどの地域を基準とするものであるかを示す地域名を設定する設定処理を設けたことを特徴とする請求項１０又は１１記載のコンピュータ読み取り可能な記憶媒体。
【発明の詳細な説明】
【０００１】
【発明の属する技術分野】
本発明は、内部の時計により撮影時の日付・時刻を映像信号とともに記録媒体に記録及び再生する場合に用いて好適な再生装置、ビデオカメラ一体型記録再生装置及びコンピュータ読み取り可能な記憶媒体に関するものである。
【０００２】
【従来の技術】
従来、時差を生じる地域に移動して撮影を行う場合に、日付・時刻を時差補正する方法として、基準となる日付・時刻そのものを現地の日付・時刻に設定し直す方法、世界時計機能等を用いて事前に日付・時刻を補正しておいてから記録する方法、ＧＰＳ受信装置による位置及び時刻情報に基づいて日付・時刻を補正しておいてから記録する方法、位置及び時刻情報をそのまま記録しその情報から再生時に日付・時刻を補正する方法等がある。これらの方法は、いずれも日付・時刻データを「記録時」に補正するか、もしくは「記録時」に補正に必要な情報データを映像信号と共に記録するものであった。
【０００３】
また、従来の基準の日付・時刻に対して時差補正を行う場合において、時差補正されている状態から補正前の状態に復帰させる方法として、メニュー操作により復帰する方法、復帰のキーを順次操作する方法、１つのキーを複数回操作する方法があった。
【０００４】
【発明が解決しようとする課題】
しかしながら、上記従来例では、撮影前にいちいち現地の日付・時刻に時計を設定し直すか、従来の世界時計機能による時差補正作業を行わなくてはならず、非常に面倒であった。さらにこれらの方法は、時差のある地域から時差のない地域に戻った際に、一度設定した日付・時刻や、世界時計による時差補正を、設定時と同じ複数回のキー操作を行って元の状態に戻さなくてはならず、面倒であった。またＧＰＳ受信装置を用いる自動時差補正機能をカメラ一体型記録再生装置に付加することは、非常に大がかりでシステム全体が複雑で大型化し、且つ高価になってしまうという致命的な問題があった。
【０００５】
そこで、本発明の目的は、再生時に時差補正を行えるようにするとともに、時差補正状態からの復帰を１キー１回操作で行えるようにすることである。
【０００６】
【課題を解決するための手段】
本発明による再生装置においては、記録媒体に記録された信号を再生して再生信号を出力する再生手段と、上記再生信号に含まれる時刻情報を抽出する抽出手段と、基準となる情報に対して時差補正を行うための補正情報を入力する入力手段と、上記抽出された時刻情報を上記入力された補正情報に基づいて時差補正する補正手段と、上記補正された時刻情報を表示手段に表示させる制御を行う表示制御手段と、１回のキー操作によって上記時差補正動作を解除して時差補正前の状態に戻す解除手段とを設けている。
【０００７】
本発明によるビデオ一体型記録再生装置においては、被写体を撮像し映像信号を出力する撮像手段と、時刻情報を発生する時計手段と、上記映像信号を上記時刻情報と共に記録媒体に記録し再生する記録再生手段と、上記再生された信号から上記時刻情報を抽出する抽出手段と、基準となる情報に対して時差補正を行うための補正情報を入力する入力手段と、上記抽出された時刻情報を上記入力された補正情報に基づいて時差補正する補正手段と、上記補正された時刻情報を表示手段に表示させる制御を行う表示制御手段と、１回のキー操作によって上記時差補正動作を解除して時差補正前の状態に戻す解除手段とを設けている。
【０００８】
本発明による記憶媒体においては、記録媒体に記録された信号を再生して再生信号を出力する再生処理と、上記再生信号に含まれる時刻情報を抽出する抽出処理と、基準となる情報に対して時差補正を行うための補正情報を入力する入力処理と、上記抽出された時刻情報を上記入力された補正情報に基づいて時差補正する補正処理と、上記補正された時刻情報を表示手段に表示させる制御を行う表示制御処理と、１回のキー操作によって上記時差補正動作を解除して時差補正前の状態に戻す解除処理とを実行するためのプログラムを記憶している。
【０００９】
本発明による他の記憶媒体においては、被写体を撮像し映像信号を出力する撮像処理と、時刻情報を発生する時計処理と、上記映像信号を上記時刻情報と共に記録媒体に記録し再生する記録再生処理と、上記再生された信号から上記時刻情報を抽出する抽出処理と、基準となる情報に対して時差補正を行うための補正情報を入力する入力処理と、上記抽出された時刻情報を上記入力された補正情報に基づいて時差補正する補正処理と、上記補正された時刻情報を表示手段に表示させる制御を行う表示制御処理と、１回のキー操作によって上記時差補正動作を解除して時差補正前の状態に戻す解除処理とを実行するためのプログラムを記憶している。
【００１０】
【発明の実施の形態】
以下、本発明の実施の形態を、民生用デジタルＶＴＲ規格に準じた液晶モニタ付きのカメラ一体型ＶＴＲに適応した場合について説明する。
図１はカメラ一体型ＶＴＲにおける機能ブロック図である。
図１において、１は音声を集音するマイク部、２はマイク部１より取り込まれた音声信号に対して所定の信号処理を施す音声信号処理部、３はアナログ音声信号をデジタル音声信号に変換するＡ／Ｄ変換部、４は被写体を撮像するための撮像部、６はアナログ映像信号をデジタル映像信号に変換するＡ／Ｄ変換部、５は撮像部４から取り込まれ、Ａ／Ｄ変換された映像信号に対して所定の信号処理を施す映像信号処理部、７はカメラ系制御部で、マイクロコンピュータ等により構成され、システム制御部２３、カメラ系操作部２５の指示等により、カメラ系全体を制御する。
【００１１】
ここで、本実施の形態における、民生用デジタルＶＴＲ規格における磁気記録・再生方式の場合のテープ記録フォーマットを簡単に説明する。このテープフォーマットは図２に示すように、撮影（記録）日時情報、文字コード情報、頭出し情報等の任意の情報が記録されるサブコード記録領域と、デジタル映像信号（輝度信号及び色信号）が記録されるビデオ記録領域と、デジタル音声信号が記録されるオーディオ記録領域と、トラックＩＤ等の情報が記録されるＩＴＩ（Ｉｎｓｅｒｔ  ａｎｄ  Ｔｒａｃｋ  Ｉｎｆｏｍａｔｉｏｎ）記録領域等により構成されている。
【００１２】
次に図１において、８は時計部２４で発生した現在の日付・時刻に対してサブコード記録領域にデジタル記録可能な信号とするためにＤ／Ｄ変換を行うサブコードデータエンコード部、１０はサブコード・データを検出して出力するサブコード・データ検出部である。１９はデジタル音声信号、デジタル映像信号及びサブコード・データをそれぞれ切り換えて出力するデータ切換部１９ａを含む記録信号処理部、２１は記録信号処理部１９からの各々のデジタル信号を磁気テープ（図示せず）に記録及び磁気テープに記録されたデジタル信号を再生するための磁気ヘッドを含むメカ部である。
【００１３】
２０は磁気ヘッドを含むメカ部２１より再生されたデジタル音声信号、デジタル映像信号及びサブコード・データをそれぞれ切り換えて出力するデータ切換部２０ａを含む再生信号処理部、１４はデータ切換部２０ａで切り換え分離されたデジタル音声信号をアナログ音声信号に変換するＤ／Ａ変換部、１３は変換されたアナログ音声信号に対して所定の信号処理を施す音声信号処理部、１２は音声を出力するスピーカ部である。
【００１４】
さらに、１７はデータ切換部２０ａで切り換え分離されたデジタル映像信号をアナログ映像信号に変換するＤ／Ａ変換部、１６は変換されたアナログ映像信号に対して所定の信号処理を施す記録信号処理部、１８はシステム制御部２３の指示に従って日付・時刻をはじめとする各種の情報をスーパーインポーズするためのＯＳＤ（Ｏｎ  Ｓｃｒｅｅｎ  Ｄｉｓｐｌａｙ）部、１５は記録信号処理部１６より得られた映像及びＯＳＤ部１８より得られたスーパーインポーズ情報を表示する液晶モニタ部、９はサブコード・データ検出部１０からのサブコード・データ（撮影日付・時刻データ等）に対してＤ／Ｄ変換を行うサブコード・データデコード部である。
【００１５】
２４は撮影日付・時刻を発生するための時計部、２５はカメラ系の操作に係わる各種スイッチ（［ＺＯＯＭ］、［ＦＯＣＵＳ］等）類から構成されるカメラ系操作部、２６はＶＴＲ系、及び装置全体に関する各種スイッチ（［ＵＰ］、［ＤＯＷＮ］、［ＭＥＮＵ］、［ＰＬＡＹ］、［ＦＦ／ＲＥＷ］、［ＳＴＯＰ］、［ＳＴＡＲＴ／ＳＴＯＰ］等）類から構成されるＶＴＲ系操作部、２７は本体の電源モード（カメラ・ＶＴＲ・オフ）を選択するための電源モードＳＷ部、２８はリモコン信号を受信しリモコンコードをシステム制御部２３に送出する赤外リモコン信号受信部である。
【００１６】
２３はシステム制御部であり、上述したカメラ一体型ＶＴＲの各種機能を総合的に制御するマイクロコンピュータ等から構成され、タイマ機能をはじめとする各種機能を有し、電源モードの制御、ＶＴＲブロックの動作モード遷移の制御、各種情報表示制御、各種撮影モード記憶と保持等を主に行う。
【００１７】
２９は上記マイクロコンピュータの制御プログラムを格納する本発明による記憶媒体である。制御プログラムとしては、後述する図３、４、６、８、１０に示すフローチャートによる処理を実行するためのプログラムを含む。この記憶媒体２９としては、半導体メモリ、光ディスク、光磁気ディスク、磁気媒体等を用いてよい。また、それらをＲＯＭ、ＲＡＭ、ＣＤ−ＲＯＭ、メモリカード、フロッピディスク、磁気テープ等に構成して用いてよい。
【００１８】
次に上記構成によるカメラ一体型ＶＴＲの動作について説明する。
まず、記録時（撮像時）には、マイク部１から取り込まれた音声信号は、音声信号処理部２で所定の信号処理を施された後、Ａ／Ｄ変換部３でデジタル信号に変換され、記録信号処理部１９のデータ切換部１９ａに入力される。また、撮像部４から取り込まれた映像信号は、Ａ／Ｄ変換部６でデジタル信号に変換され、映像信号処理部５で所定の信号処理を施された後、記録信号処理部１９のデータ切換部１９ａに入力される。
【００１９】
これと同時に、時計部２４からの現在の時計データとしての日付・時刻データは、サブコード・データエンコード部８により磁気テープのサブコード記録領域にデジタル記録可能な信号とするためにＤ／Ｄ変換された後、サブコード・データ検出部１０を介して連続的に記録信号処理部１９のデータ切換部１９ａに入力される。
【００２０】
データ切換部１９ａでは、民生用デジタルＶＴＲ規格におけるテープ記録フォーマット（図２参照）に準じて、デジタル映像信号、サブコード・データとしての撮影日付・時刻データ（時計データ）及びＩＴＩデータがそれぞれ所定の記録領域に記録されるように、それぞれのデータを切り換え出力して、磁気ヘッドを含むメカ部２１に供給する。
上述のようにして、デジタル音声信号、デジタル映像信号と、これらの撮影日付・時刻を示すデータとが、同時且つ連続的に磁気テープ（図示せず）上の別領域にデジタル記録されることとなる。
【００２１】
次に、再生時には、磁気ヘッド２１より読み取られたデジタル音声信号、デジタル映像信号、サブコード・データとしての撮影日付・時刻データ及びＩＴＩデータは、常時データ切換部２０ａに入力され、それぞれ時系列に切り換えられて抽出され、出力される。
データ切換部２０ａからのデジタル音声信号は、Ｄ／Ａ変換部１４でアナログ音声信号に変換された後、音声信号処理部１３で所定の信号処理を受けてスピーカ部１２より音声出力される。また、データ切換部２０ａからのデジタル映像信号は、Ｄ／Ａ変換部１７でアナログ映像信号に変換され、記録信号処理部１６で所定の信号処理を受ける。
【００２２】
これと同時に、データ切換部２０ａからの再生されたサブコード・データとしての撮影日付・時刻データ（時計データ）は、サブコード・データ検出部１０を介してサブコード・データデコード部９でＤ／Ｄ変換されて、システム制御部２３に入力される。システム制御部２３では、再生された撮影日付・時刻データに対して、使用者によって予め入力された時差に関する補正情報に基づいて時差補正処理を施した後、文字表示用データに変換してＯＳＤ制御部１８に出力する。文字表示用データはさらにＯＳＤ制御部１８でスーパーインポーズデータに変換され、記録信号処理部１６からの映像信号とともに液晶モニタ部１５に出力される。液晶モニタ部１５には、再生映像とともに時差補正された撮影日付・時刻がスーパーインポーズされて表示される。
【００２３】
図３、図４は、本発明の第１の実施の形態による時差に関する補正情報をメニューにより入力する場合の動作フローチャート、図５は動作中の液晶モニタの表示例である。
図５（ａ）は“トウキヨウ”で時計部２４の日付・時刻設定を行ったカメラ一体型ＶＴＲを、“ニューヨーク”で使用して撮影記録した映像を、日付・時刻をスーパーインポーズした状態で再生した場合を示している。ここでは上記の“時差補正”を行っていないので、撮影した映像には太陽が出ているのに夜の１１時２２分と表示されてしまい、撮影時の現地時間と食い違っていることがわかる。
【００２４】
以下に本実施の形態における“時差補正”について、図３、図４の動作フローチャートにより説明する。
ステップＳ３０２（以下、ステップは省略）で［ＭＥＮＵ］Ｋｅｙが押されるのを待つ。Ｋｅｙが押されると、Ｓ３０３でメニューモードが開始され、図５（ｂ）のメニュー画面が表示される。
先ず、時差補正するための基準となる都市名の設定を行う。Ｓ３０４で［ＵＰ］Ｋｅｙまたは［ＤＯＷＮ］が押されると、Ｓ３０５でメニューカーソルを上または下に移動させる。使用者はＳ３０６でメニューカーソルの位置が『キジュントシ設定』になるまでＳ３０４、Ｓ３０５の操作を繰り返す。
【００２５】
メニューカーソルが『キジュントシ設定』の位置で［ＳＥＴ］Ｋｅｙが押されると（Ｓ３０７）、『キジュントシ設定』モードとなる。Ｓ３０８で［ＵＰ］Ｋｅｙまたは［ＤＯＷＮ］Ｋｅｙが押されると、Ｓ３０９で“キジュントシ”データを＋１または−１する。ここでは“トウキョウ”で日付・時刻設定を行ったことを前提に説明するので、使用者はキジュントシが“１０／トウキョウ”になるまでＳ３０８、Ｓ３０９の操作を繰り返す（図５（ｃ）参照）。この状態で［ＳＥＴ］Ｋｅｙが押されると（Ｓ３１１）、キジュントシが“１０／トウキョウ”に設定され、もとのメニュー画面に戻る。
【００２６】
次に、補正を行う都市名の選択を行う。Ｓ３１２で［ＵＰ］Ｋｅｙまたは［ＤＯＷＮ］Ｋｅｙが押されると、Ｓ３１３でメニューカーソルを上または下に移動させる。使用者はＳ３１４でメニューカーソルの位置が『サツエイトシ選択』になるまでＳ３１２、Ｓ３１３の操作を繰り返す（図５（ｄ）参照）。メニューカーソルが『サツエイトシ選択』の位置で［ＳＥＴ］Ｋｅｙが押されると（Ｓ３１５）、『サツエイトシ選択』モードとなる。
【００２７】
Ｓ３１６で［ＵＰ］Ｋｅｙまたは［ＤＯＷＮ］が押されると、Ｓ３１７で“サツエイトシ”データを＋１または−１する。この場合“ニューヨーク”で撮影が行われたことを前提に説明するので、使用者はＳ３１８でサツエイトシが“２０／ニューヨーク”になるまでＳ３１６、３１７の操作を繰り返す（図５（ｅ）参照）。この状態で［ＳＥＴ］Ｋｅｙが押されると（Ｓ３１９）、サツエイトシが“２０／ニューヨーク”に設定され、もとのメニュー画面に戻る（図５（ｆ）参照）。Ｓ３２０で［ＭＡＮＵ］Ｋｅｙが押されると、Ｓ３２１でメニューモードを終了してメニュー画面表示をオフし、Ｓ３２２で［ＰＬＡＹ］Ｋｅｙが押されるのを待つ。
【００２８】
［ＰＬＡＹ］Ｋｅｙが押されると、Ｓ３２３で再生動作を開始する。この時図１のサブコード・データデコード部９からのサブコード・データ日付・時刻データが記録されているか否かをＳ３２４で判定し、記録されていた場合は、時差補正をするためにＳ３２５に分岐する。Ｓ３２５では“キジュントシ”が設定されているか否かを判定し、設定されていない場合は時差補正は行わず、Ｓ３２９に分岐する。設定されている場合はＳ３２６で“キジュントシ”と“サツエイトシ”との比較を行い、二つの都市名が同じだった場合も時差補正する必要が無いのでＳ３２９に分岐する。
【００２９】
都市名が異なる場合Ｓ３２７で“キジュントシ”と“サツエイトシ”との時差を算出し、Ｓ３２８で再生された日付・時刻データに対する時差補正処理を行う。ここで、“キジュントシ”と“サツエイトシ”の都市名には、それぞれ対応するグリニッジ標準時（又はトウキョウ等の特定都市を標準時としてもよい）に対する時差情報が内部的に割り当てられており、両都市間の時差についてはその引き算で容易に求めることができる。こうして求めた時差データに基づいて日付変更線も考慮して時差補正を行うものである。
【００３０】
Ｓ３２９では、日付・時刻データをＯＳＤ文字表示用データに変換し、Ｓ３２０で日付・時刻表示を再生映像にスーパーインポーズする。これにより、図５（ｇ）に示すように撮影時の現地（ニューヨーク）時間“午前９時２２分が表示される。
【００３１】
次に第２の実施の形態を説明する。
上記第１の実施の形態においては、時差補正のための情報入力方法として、メニューにより基準となる都市名と補正を行う都市名とを指定する場合について説明したが、この第２の実施の形態では、時差に関する情報として直接、時間を設定するようにしている。
次に、図６の動作フローチャート及び図７の液晶モニタ表示例を用いて説明する。尚、全体のシステム構成については、図１と同様なので説明は省略する。
【００３２】
図７（ａ）は、“トウキョウ”で日付・時刻設定を行ったカメラ一体型ＶＴＲを、“ニューヨーク”で使用して撮影した映像を、日付・時刻をスーパーインポーズされた状態で再生したものである。上記の“時差補正”を行っていないので、撮影した映像に太陽が出ているのに、夜の１１時２２分と表示されてしまい、撮影時の現地時間と食い違っていることがわかる
【００３３】
先ずＳ５０２で、再生されたサブコード・データに日付・時刻データが含まれているか否かを判定し、含まれていない場合には検出できるまで繰り返す。また、含まれている場合には、Ｓ５０３で［ＵＰ］Ｋｅｙが押されているか否かを判定し、オンならばＳ５０４に分岐し時差情報を＋１して時差補正時間表示をオンする。オフならばＳ５０５で［ＤＯＷＮ］Ｋｅｙが押されているか否かを判定し、オンならばＳ５０６で時差情報を−１し時差補正時間表示をオンする。オフならばＳ５０２に分岐する。Ｓ５０７では再生された日付・時刻データに対して上記Ｓ５０４ｏｒＳ５０６で設定されている時差補正時間による時差演算処理を行い、Ｓ５０８では、日付・時刻データをＯＳＤ文字表示用データに変換し、Ｓ５０９で日付・時刻表示を再生映像にスーパーインポーズする。
【００３４】
図７（ｂ）は、上記［ＤＯＷＮ］Ｋｅｙを一回押して〔−１〕にしたときの表示例で、（ａ）のＰＭ１１：２２がＰＭ１０：２２に補正されている。上記操作の繰り返しにより、“トウキョウ”と“ニューヨーク”との時差“−１４時間”を設定したのが、図７（ｃ）であり、ここに示すように撮影時の現地（ニューヨーク）時間“午前９時２２分”が表示されている。
【００３５】
次に第３の実施の形態を説明する。
この第３の実施の形態では、第１の実施の形態における時差に関する情報のうち、時差補正の基準となる時刻に関する情報を“キジュントシ”とし、装置内部の時計部２４を設定するようにしている。
次に、図８の動作フローチャート及び図９の液晶モニタ表示例を用いて説明する。尚、全体のシステム構成については、図１と同様なので説明は省略する。
【００３６】
Ｓ７０１で時計設定モードが開始されると、先ずＳ７０２で時計設定モードの表示が開始される。Ｓ７０３で“キジュントシ”部分が点滅表示し、“キジュントシ”設定状態であることを示す（図９（ａ）参照）。Ｓ７０４で［ＵＰ］、［ＤＯＷＮ］キー操作により“キジュントシ”（ここではトウキョウ）を設定する。Ｓ７０５で“キジュントシ”の設定が終了したのを確認した後、Ｓ７０６に移行し“キジュントシ”を点灯表示にして、次に設定する“年”桁を点滅表示にする（図９（ｂ）参照）。Ｓ７０７で［ＵＰ］、［ＤＯＷＮ］キー操作により“年”桁を設定する。
【００３７】
Ｓ７０８で“年”桁の設定が終了したのを確認し、Ｓ７０９に移行し“年”桁を点灯表示にし、次に設定する“月”桁を点滅表示にする。同様に以下、“月”、“日”、“時”と設定を行う。上記作業を経てＳ７２０に移行し“時”桁を点灯表示にし、次に設定する“分”桁を点滅表示にする（図９（ｃ）参照）。Ｓ７２１で［ＵＰ］、［ＤＯＷＮ］キー操作により“分”桁を設定する。Ｓ７２２で“分”桁の設定が終了したのを確認した後、Ｓ７２３に移行し“日付・時刻”を通常表示にして時計設定を終了する。
【００３８】
次に第４の実施の形態を説明する。
この第４の実施の形態では、従来の世界時計を用いた時差や上述した実施の形態による時差補正の補正状態を、１キー１回操作によって補正前の状態に戻すことができるようにしている。
次に図１０の動作フローチャート及び図１１の液晶モニタ表示例を用いて説明する。尚、全体のシステム構成については、上記実施例１と同様なので説明は省略する。
【００３９】
先ずＳ９０２において、現在時差補正が行われている状態か否かを判定し、行われていない場合は今回の説明とは関係無いのでＳ９０２の判定を繰り返す。時差補正が行われている場合は、Ｓ９０３に分岐して、ＶＴＲ操作部２６に設けられている時差補正モード解除ＳＷが押されたか否かを判定する。時差補正されている状態の液晶モニタ表示例を図１１（ａ）に示す。現在再生されている「ニューヨーク」が表示されている。Ｓ９０３で解除ＳＷが押されていたら、Ｓ９０４に分岐して現在行われている時差補正を中止（解除）して補正前の状態に戻す。そしてＳ９０５でヒョウジュン時間に復帰し、地域名表示をオフするとともにヒョウジュンの日付・時刻表示を行う（図１１（ｂ）参照）。
【００４０】
以上、上記実施の形態では、本発明をカメラ一体型ＶＴＲに適用した例を述べたが、デジタルカメラなどの他のビデオカメラにも適用可能である。
【００４１】
【発明の効果】
以上説明したように、本発明によれば、日付・時刻等を示す時刻情報が記録された記録媒体に記録された信号を再生する場合、再生された時刻情報を入力された補正情報により時差補正することができる。このため例えば時差のある地域で、時刻情報を時差補正せずに記録した記録媒体に記録された信号を再生しても、再生される時刻情報を時差補正することができる。また、本発明によれば、時差補正状態を１キー１回操作によって解除することにより、時差補正状態の解除を簡単な操作で行える効果がある。
【００４２】
また、本発明によれば、時差のある地域で時計手段の時差補正をせずに撮影記録した場合に、再生時に入力された補正情報にしたがって時差補正を行うことができる。このため、時差のある地域で撮影記録してしまってからでも、再生時にその時刻情報を時差補正することができる効果がある。さらに、本発明によれば、時差補正状態を１キー１回操作によって解除することにより、時差補正状態の解除を簡単な操作で行える効果がある。
【００４３】
さらに、上述した本発明の実現に際し、特別にハード的な付加機能（ＧＰＳのような）を必要とせず、従来のビデオカメラ一体型記録再生装置のシステムと同じ構成をとることができるので、コスト、形状等の現状のままで押さえられるという効果がある。
【００４４】
また、本発明によれば、補正情報として、地域名を用いると共に、地域名と対応する時差情報を設けたことにより、基準となる地域に対する撮影した地域との時間差が分からなくとも、地域名を入力するだけで補正情報の入力が可能となる効果がある。
【００４５】
また、本発明によれば、補正情報として、地域間の時間差を用いるようにしたことにより、簡単な操作で補正情報の入力が可能となる効果がある。
【００４６】
また、本発明によれば、再生時に時差補正されたデータを表示手段で表示させてユーザに供することができる。
【００４７】
また、本発明によれば、時差補正の基準となる時刻に関する情報を地域名として装置内部の時計手段に設定するようにしたことにより、上記時差補正を行う度に基準となる時刻に関する情報をいちいち入力しなくてもよいという効果がある。
【図面の簡単な説明】
【図１】本発明の実施の形態によるカメラ一体型デジタルＶＴＲの機能ブロック図である。
【図２】カメラ一体型ＶＴＲにおけるＶＴＲ部のテープ記録フォーマット（民生用デジタルＶＴＲ規格）を示す構成図である。
【図３】本発明の第１の実施の形態による動作フローチャートである。
【図４】本発明の第１の実施の形態による動作フローチャートを示す構成図である。
【図５】第１の実施の形態による液晶モニタの表示例を示す構成図である。
【図６】第２の実施の形態による動作フローチャートである。
【図７】第２の実施の形態による液晶モニタの表示例を示す構成図である。
【図８】第３の実施の形態による動作フローチャートである。
【図９】第３の実施の形態による液晶モニタの表示例を示す構成図である。
【図１０】第４の実施の形態による動作フローチャートである。
【図１１】第４の実施の形態による液晶モニタの表示例を示す構成図である。
【符号の説明】
４  撮像部
５  映像信号処理部
９  サブコードデータデコード部
１０  サブコードデータ検出部
１１  サブコードデータ処理部
１５  液晶モニタ部
１６  記録信号処理部
１８  ＯＳＤ制御部
１９  記録信号処理部
２０  再生信号処理部
２１  メカ部
２２  レコーダ部
２３  システム制御部
２４  時計部
２５  カメラ系操作部
２６  ＶＴＲ系操作部
２８  赤外線リモコン信号受信部
２９  記憶媒体
【図１】
0003559707.tif 000002
【図２】
0003559707.tif 000003
【図３】
0003559707.tif 000004
【図４】
0003559707.tif 000005
【図５】
0003559707.tif 000006
【図６】
0003559707.tif 000007
【図７】
0003559707.tif 000008
【図８】
0003559707.tif 000009
【図９】
0003559707.tif 000010
【図１０】
0003559707.tif 000011
【図１１】
0003559707.tif 000012